(57)【要約】      （修正有）【課題】貫通力および捕獲率の向上、魚へのダメージの軽減、更には海中の環境汚染の軽減を図る従来と全く異なる考え方の釣り針を提供する。【解決手段】本発明である釣り針１は、ジグに使用される釣り針１であって、基部に形成した前記ジグへの取り付け部１１と、略Ｊ形に屈曲した胴部１２と、前記胴部１２の先の針部１３とが一体に形成されて可撓性を有するとともに、前記胴部１２の直径ｄが胴長Ｌの長さ１に対して０．０２５以上０．０４０未満であることを特徴とする。【選択図】図１
2018102281.tif 000002
【特許請求の範囲】
【請求項１】
ジグに使用される釣り針であって、基部に形成した前記ジグへの取り付け部と、略Ｊ形に屈曲した胴部と、前記胴部の先の針部とが一体に形成されて可撓性を有するとともに、前記胴部の直径が胴長の長さ１に対して０．０２５以上０．０４０未満であることを特徴とする釣り針。
【請求項２】
前記ジグにアシストラインを介して止着されることを特徴とする請求項１記載の釣り針。
【請求項３】
前記ジグがメタルジグであって、前記アシストラインが前記メタルジグの両端にそれぞれ一対取り付けられていることを特徴とする請求項２記載の釣り針。
【請求項４】
前記ジグがタイラバであって、前記アシストラインが前記タイラバに取り付けられていることを特徴とする請求項２記載の釣り針。
【請求項５】
少なくとも前記胴部が熱処理を施した高炭素鋼により形成されていることを特徴とする請求項１，２，３または４記載の釣り針。
【請求項６】
前記可撓性は、前記胴部に２ｋｇの引っ張り荷重を付加した際にフトコロが拡開し、かつ荷重を解除すると元に戻る可撓性であることを特徴とする請求項１，２，３，４または５記載の釣り針。
【請求項７】
前記胴長が２９ｍｍ〜３４ｍｍ、幅が２１ｍｍ〜２４ｍｍであって、重量が０．５ｇ以上０．６４ｇ未満であることを特徴とする請求項１，２，３，４，５または６記載の釣り針。
【発明の詳細な説明】
【技術分野】
【０００１】
本発明は、例えばメタルジグやタイラバなどのジグを用いる釣り方に適した釣り針に関するものである。
【背景技術】
【０００２】
従来、釣り針についても釣法や狙う魚種に合わせてあらゆる工夫が施されて来たが、一旦掛かった魚が暴れて釣り針から外れたり魚の重さで釣り針が折損することにより釣り上げることができなかいことを防ぐため、いずれも固くて丈夫な針であることが求められていた。
【０００３】
ところが固くて丈夫な針を求める場合、獲物とする魚のサイズが大きいと釣り針も大きく、必然的に径も太くなり、その結果釣り針が魚に貫通しにくくなり、魚の反応を感じて（アタリ）から確実に釣り上げる（フッキング）ためには、繊細な感覚と技術が必要となり経験の浅い釣り人はアタリを感じてもフッキングにつなげることは容易でなかった。
【０００４】
また、従来の固く丈夫な釣り針は、針先が貫通していない状態で魚が暴れた際に釣り針が折損したり、針先が魚体の表面を引掻くように動き身切れ（針により身が裂けること）を生じる可能性が高く、特にメタルジグを用いて釣り上げる赤ムツやタイラバを用いて釣り上げる真鯛のように口や身の柔らかい高級魚は釣り上げ難いだけでなく、釣り上げたとしても損傷が大きく、捕獲後にリリース（魚を海へ戻す）する際にも魚へのダメージが心配された。
【０００５】
そこで、釣り針に関して貫通し易く確実に捕獲できる改善が求められており、従来から線径や重量を増すことなしに釣り針の強度を向上される手段として例えば特開２００５−３３３９５０号公報（特許文献１）に提示されているように軸部を縦横方向にプレス加工により断面を小判形や四角形に平打ちする方法や特開２００１−２５１９９４号公報（特許文献２）に提示されているように釣り針の太さを部分的に変更することも考えられるが、前記特許文献１に記載の釣り針では製造はし易いが部分的に強度が異なることから均一な強度を増すことができず全体として折れやすいという問題があり、特許文献２に記載の釣り針では一様な太さの線材を用いることができないので製造が困難であるという問題がある。また、特公昭４３−３０９１８号公報（特許文献３）には線材を空洞化して軽量化を図った釣り針が提示されているが、強度的に問題があり、大型の魚に対応することはできないという問題がある。
【０００６】
また、従来のオフショア（船に乗って海上で行う）で行われていた釣法であるジギングは、海中に深く沈めたジグを引き上げる動作を繰り返すことにより魚を誘って釣り上げるものであったため、大変体力を要していたところ、近年、独特の形状のメタルジグを用い、そのメタルジグが海中を落下するときの不規則な動きで弱った小魚の動きを演出して獲物の魚を誘うスローピッチジャークジギングという釣法が開発され、非力な女性でもオフショアでのジギングが容易になったことから、比較的経験の浅い釣り人でも大きい獲物を狙う釣りを気楽に楽しむことができるようになった。
【０００７】
そしてこのスローピッチジャークジギング釣法が広まるにつれ、以前はルアーで釣ることが困難であった高級魚アカムツを狙うことも可能となり特に人気を集めているが、アカムツは体長５０ｃｍ程度で水深２５０〜３００ｍで海底から１ｍ付近に生息しており、更にアカムツは口や魚体が柔らかいため、深い海中から釣り上げることは経験の浅い釣り人にとって特に困難であり、貫通し易く確実に捕獲できる釣り針の改善が求められていた。
【０００８】
更に、特に海底近くに生息しているアカムツを狙う場合は、ジグを海底まで落としては海底から１ｍほど巻き上げることを繰り返すため、海底で釣り針が障害物に引っかかる「根掛かり」が生じやすく、これを解除するために糸を切り離せば糸やジグや釣り針が海底の残留物となり、魚の生態系、海の環境汚染にもつながるという問題もあった。
【先行技術文献】
【特許文献】
【０００９】
【特許文献１】特開２００５−３３３９５０号公報
【特許文献２】特開２００１−２５１９９４号公報
【特許文献３】特公昭４３−３０９１８号公報
【発明の概要】
【発明が解決しようとする課題】
【００１０】
本発明は前記従来の釣法に用いられる釣り針が有する問題点を解決することを課題とするものであり、これまでとは全く異なる考え方で発明された、貫通力および捕獲率の向上、魚へのダメージの軽減、更には海中の環境汚染の軽減を図る釣り針を提供するものである。
【課題を解決するための手段】
【００１１】
前記課題を解決するためになされた本発明である釣り針は、ジグに使用される釣り針であって、基部に形成した前記ジグへの取り付け部と、略Ｊ形に屈曲した胴部と、前記胴部の先の針部とが一体に形成されて可撓性を有するとともに、前記胴部の直径が胴長の長さ１に対して０．０２５以上０．０４０未満であることを特徴とする。
【００１２】
本発明である釣り針は、前記ジグにアシストラインを介して止着される場合、殊に、前記ジグがメタルジグであって、前記アシストラインが前記メタルジグの両端にそれぞれ一対取り付けられる用途、および前記ジグがメタルジグであって、前記アシストラインが前記タイラバに取り付けられる用途に適している。
【００１３】
また、本発明である釣り針は、少なくとも前記胴部が熱処理を施した高炭素鋼により形成されていることにより所望の可撓性を有することができ、その可撓性は、前記胴部に２ｋｇの引っ張り荷重を付加した際にフトコロが拡開し、かつ荷重を解除すると元に戻る可撓性であると好ましい。
【００１４】
更に、前記胴長が２９ｍｍ〜３４ｍｍ、幅が２１ｍｍ〜２４ｍｍであって、重量が０．５ｇ以上０．６４ｇ未満と軽量である場合、ジグの動きを重さにより制限せずに吸い込みもよく、海底に着底する時間が遅れるため根掛かりも回避しやすくなる。
【発明の効果】
【００１５】
本発明によれば、従来の釣り針が太くて固く頑丈であるのに対し、細くて負荷に対し柔らかく撓る釣り針となったことにより、釣り針の貫通力が向上し、口のみならず、エラやウロコ、体表などいかなるところに引っかかっても貫通し易くなって「早掛け」が可能となり、魚が針にふれてから貫通するまでの一連の動きにおいて従来のように釣り人の「アワせ」の技術力への依存が緩和され、釣り人の巧拙によらず釣りを楽しむことを可能とした。
【００１６】
また、フッキング後の魚へのダメージも少なく、「バラし」（魚が針から外れる事）や「リリース」（魚を海に戻すこと）の際もより魚の生存率の向上を図ることができるばかりか、根掛かりを生じた際に切り離さざるを得ない糸やジグや釣り針が海底の残留物となって魚の生態系の変化や海の環境汚染を招くことを防止することができる。
【図面の簡単な説明】
【００１７】
【図１】本発明に係る好ましい実施の形態を示す側面図。
【図２】本発明である釣り針を使用するスローピッチジャークジギング釣法の仕掛けの要部を示す概略図。
【図３】本発明である釣り針を用いてスローピッチジャークジギング釣法により釣り上げる際の釣り針の魚体への掛止状態を示す説明図。
【図４】本発明における実施例を比較例とともに示した側面からの写真。
【図５】本発明における実施例を比較例とともに示した正面からの写真。
【図６】本発明における実施例の重量測定状態を比較例とともに示した写真。
【図７】本発明における実施例と比較例についての荷重試験の負荷前と負荷後の状態を示した写真。
【図８】本発明における実施例と比較例についての異なる荷重試験の負荷前と負荷時の状態を示した写真および拡大概略図。
【発明を実施するための形態】
【００１８】
図１は、スローピッチジャークジギング釣法に用いる本実施の形態である釣り針１を示すものであり、従来の釣り針と基本的に同様の構造であり、基部に形成した前記ジグへの取り付け部１１と、略Ｊ形に屈曲した胴部１２と、胴部１２の先端に形成した針先１４とカエシ１５を有する針部１３とが一体に形成されて可撓性を有するとともに、前記胴部１２の直径ｄが胴長Ｌの長さに対して０．０２５以上０．０４０未満に形成されている。尚、図１に示した符号Ｗは釣り針１の幅である。
【００１９】
また、フトコロ幅Ｇ１とフトコロ開Ｇ２の比率が７：３で前記胴長Ｌに対して０．５〜０．６の長さを有するフトコロＧを備えており、少なくとも胴部１２が熱処理を施した高炭素鋼（例えばＳＷＣ（８０Ｃ））により形成されていることにより所望の可撓性（例えば胴部１２に２ｋｇの引っ張り荷重を付加した際にフトコロＧが拡開し、かつ荷重を解除すると元に戻る）を有することが好ましい。
【００２０】
スローピッチジャークジギング釣法では、図２に示すように、メタルジグ２の両端において備えられた係止リング３，３に二股状に一対（合計４本）のアシストライン４ａ，４ｂ，４ｃ，４ｄが付設されており、それらの先端に本実施の形態である釣り針１ａ，１ｂ，１ｃ，１ｄがそれぞれ取り付けられた仕掛けが使用される。
【００２１】
魚は海中で餌を食べようとする習性、吸い込む習性（口からエラに水が流れる）並びにジグに体当たり（自分のテリトリーに入ってきた物を威嚇する）する習性があり、複雑に動くメタルジグ２に対して前記捕食または威嚇の習性により近づき、その際、４本の釣り針１ａ，１ｂ，１ｃ，１ｄのどれかが口やヒレ、尾、魚体の一部に引っ掛かると、魚は違和感を感じ、首を振り、その際にメタルジグ２の重みによってアシストライン４ａ，４ｂ，４ｃ，４ｄの先に止着した釣り針１ａ，１ｂ，１ｃ，１ｄが振り子の原理で魚体に巻きついて図３に示すように魚体５に４つの釣り針１ａ，１ｂ，１ｃ，１ｄが刺さり、魚を釣り上げる際にはこの４支点を鷲掴みしたような状態で捕獲するものである。
【実施例】
【００２２】
次に、本発明の実施例について説明する。
【００２３】
図４（ａ）は特に水深２５０〜３００ｍの海底から１ｍ付近に生息している体長５０ｃｍ程度の赤ムツをスローピッチジャークジギング釣法により釣り上げるのに適したサイズ３／０である本発明の実施例である釣り針１（以下「本実施例」という）の側面の写真を示すものであり、図４（ｂ）および図４（ｃ）は従来スローピッチジャークジギング釣法に一般的に用いられている実施例と同じサイズ３／０の２つの釣り針１Ａおよび釣り針１Ｂ（以下「比較例１」および「比較例２」という）の側面の写真を示すものである。
【００２４】
また、図５（ａ）は「本実施例」の正面の写真を示すものであり、図５（ｂ）および図５（ｃ）は「比較例１」および「比較例２」の正面の写真を示すものである。
【００２５】
本実施例は胴部１２の直径が１．０ｍｍ、針部１３の直径が０．９ｍｍであり（胴部の直径ｄが胴長Ｌの長さ１に対して０．０３３）釣り針のサイズに比較して細く形成されているとともに焼き入れを施して可撓性を有する点が特徴である。
【００２６】
これに対して、「比較例１」では胴部１２の直径が１．３ｍｍ、針部１３の直径が１．２ｍｍ（胴部１２の直径が胴長Ｌの長さ１に対して０．０４０）に形成されており、「比較例２」では胴部１２の直径が１．８ｍｍ、針部１３の直径が１．５ｍｍ（胴部１２の直径が長さＬに対して０．０４９）に形成されており、いずれも本実施例よりも胴部１２および針部１３が釣り針のサイズに比較して太く形成されている。
【００２７】
「比較例１」および「比較例２」は針部１３および胴部１２が太いことからフッキング後において安定した保持力を発揮してバラしを防ぐことが期待できるが、反面、魚体への貫通力に欠けフッキングがしにくいのみならず、魚体の損傷を生じる可能性も大きい。
【００２８】
これに対して、本実施例は「比較例１」および「比較例２」に比べて胴部１２および針部１３が細く形成されているので貫通力が高く、魚体へ刺さりやすく、かつ魚体の損傷を生じる可能性が低い。
【００２９】
特に、スローピッチジャークジギング釣法ではフッキング後の魚の動きによって振り子のように振れる４本の釣り針が口やヒレ、エラなどの魚体に刺さることにより魚を鷲掴み状につり上げるものであり、魚体への刺さりやすさは非常に重要な要素である。
【００３０】
また、図６（ａ）は本実施例、（ｂ）は「比較例１」、（ｃ）は「比較例２」についての重量測定の写真を示すものであり、本実施例は０．５ｇ、「比較例１」は０．６４ｇ、「比較例２」は１．３ｇであり、現時点で最軽量に形成されている「比較例１」より２０％も軽量であり、「比較例２」に至っては６０％も軽量である。
【００３１】
従って、本実施例では従来品に比べて更に軽量になったことによりジグを沈降させたときに重量のある従来の釣り針よりも海底に着底する時間が遅れるために根掛かりを回避しやすくなり、海底への残留物の減少による環境保護に貢献でき、高価なメタルジグの紛失軽減にも寄与することができるものである。
【００３２】
また、軽量になったことにより海中での針の浮遊時間が長くなり、エサを吸い込んで捕獲する魚には、水流と共に容易に口の中に針が吸い込まれ、この一気に吸い込まれた針は口の奥の深い位置でしっかりとしたフッキングが可能であるばかりかメタルジグの動きに対する抵抗を極限に抑えられるため、メタルジグ本来の動きを演出できるようになり、釣り針自身も大きく振れるので釣果が期待できるものである。
【００３３】
更に、図７（ａ）は本実施例、（ｂ）は「比較例１」、（ｃ）は「比較例２」について引っ張り荷重を与える前と与えた後の状態を示す写真であり、本実施例では１ｋｇ付近から徐々にフトコロが拡開するしなやかな弾力性が感じられ負荷を解除すると元の形状に戻る可撓性を有していることが確認されるとともに、５ｋｇを過ぎたあたりからは負荷を解除した後にやや変形が残ることも確認されたが、針が折れることはなかった。
【００３４】
これに対して「比較例１」では、引っ張り始めから固く重い感覚であって８ｋｇを過ぎたあたりからようやく拡開が始まった。
【００３５】
また、「比較例２」については負荷が計測限界である１５ｋｇに達しても拡開しなかった。
【００３６】
これらのことから、本実施例は柔らかく撓る針であって適度の可撓性（弾力性）を有していることがわかり、本実施例の釣り針が魚の体表付近を通過する際、少しの凹凸にも針先が引っ掛かり、魚の力や水流などにより、一度はフトコロが広げられる方向に負荷がかかるが、その一瞬の「溜め」の後、針の戻ろうとする反発力により、一気に体表を貫く力を発生するばかりか魚が暴れた際の力を吸収し、更に身の奥まで針が貫通し、確実なホールド力を発揮させることができる。
【００３７】
加えて、図１に示したように、フトコロ幅Ｇ１とフトコロ開Ｇ２の比率が７：３で胴長Ｌに対して０．５〜０．６の長さを有するフトコロＧを備えており、魚体の貫通力とホールド力のバランスがきわめて良好である。
【００３８】
更にまた、図８（ａ）は本実施例、図８（ｂ）は「比較例１」について約２ｋｇの引っ張り荷重を加えた場合の引っ張り試験の無負荷状態と負荷状態の写真および拡大概略図を示すものである。この拡大概略図は、前記写真を拡大して重ね合わせ、無負荷状態の外形を点線で、負荷状態の外形を実線で表している。
【００３９】
この図８によれば、本実施例では拡大概略図を参照するまでもなく明確にフトコロが大きく拡開しているのに対して、「比較例１」では拡大概略図で比較してもごく僅かしか変形していない。
【００４０】
このことから本実施例は赤ムツや鯛などを狙う場合に最も適するといわれている約２ｋｇ程度の負荷に対してきわめて有効であることが判明した。
【００４１】
尚、本実施例は、水深２５０〜３００ｍの海底から１ｍ付近に生息している体長５０ｃｍ程度のアカムツをスローピッチジャークジギング釣法により釣り上げるのに適したサイズ３／０（胴長３０．２ｍｍ）について実測したものを示したが、本発明はこの程度の体長並びに魚種に限るものでなく例えば深海の海底付近に生息している太刀魚のような大型で口や魚体が比較的柔らかい魚種などに合わせたサイズの釣り針にも適用することができることは言うまでもない。
【符号の説明】
【００４２】
１，１ａ，１ｂ，１ｃ，１ｄ  釣り針、２  メタルジグ、３  係止リング、４ａ，４ｂ，４ｃ，４ｄ  アシストライン、５  魚体、１１  取付部、１２  胴部、１３  針部、１４  針先、１５  カエシ
【図１】
2018102281.tif 000003
【図２】
2018102281.tif 000004
【図３】
2018102281.tif 000005
【図４】
2018102281.tif 000006
【図５】
2018102281.tif 000007
【図６】
2018102281.tif 000008
【図７】
2018102281.tif 000009
【図８】
2018102281.tif 000010
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
ジグに使用される釣り針であって、基部に形成した前記ジグへの取り付け部と、略Ｊ形に屈曲した胴部と、前記胴部の先の針部とが一体に形成されて前記胴部に２ｋｇの引っ張り荷重を付加した際にフトコロが拡開し、かつ荷重を解除すると元に戻る可撓性を有するとともに、前記胴部の直径が胴長の長さ１に対して０．０２５以上０．０４０未満であることを特徴とする釣り針。
【請求項２】
少なくとも前記胴部が熱処理を施した高炭素鋼により形成されていることを特徴とする請求項１記載の釣り針。
【請求項３】
前記胴長が２９ｍｍ〜３４ｍｍ、幅が２１ｍｍ〜２４ｍｍであって、重量が０．５ｇ以上０．６４ｇ未満であることを特徴とする請求項１または２記載の釣り針。
【請求項４】
請求項１〜３のいずれかに記載の釣り針が、前記ジグに備えられた係止リングを介して付設されたアシストラインの先端に取り付けられていることを特徴とする釣り用仕掛け。
【請求項５】
請求項１〜３のいずれかに記載の釣り針が、前記ジグの両端において備えられた係止リングを介して二股状に一対付設されたアシストラインの先端にそれぞれ取り付けられていることを特徴とする釣り用仕掛け。
【手続補正２】
【補正対象書類名】明細書
【補正対象項目名】全文
【補正方法】変更
【補正の内容】
【発明の詳細な説明】
【技術分野】
【０００１】
本発明は、例えばメタルジグやタイラバなどのジグを用いる釣り方に適した釣り針およびこれを用いた釣り用仕掛けに関するものである。
【背景技術】
【０００２】
従来、釣り針についても釣法や狙う魚種に合わせてあらゆる工夫が施されて来たが、一旦掛かった魚が暴れて釣り針から外れたり魚の重さで釣り針が折損することにより釣り上げることができなかいことを防ぐため、いずれも固くて丈夫な針であることが求められていた。
【０００３】
ところが固くて丈夫な針を求める場合、獲物とする魚のサイズが大きいと釣り針も大きく、必然的に径も太くなり、その結果釣り針が魚に貫通しにくくなり、魚の反応を感じて（アタリ）から確実に釣り上げる（フッキング）ためには、繊細な感覚と技術が必要となり経験の浅い釣り人はアタリを感じてもフッキングにつなげることは容易でなかった。
【０００４】
また、従来の固く丈夫な釣り針は、針先が貫通していない状態で魚が暴れた際に釣り針が折損したり、針先が魚体の表面を引掻くように動き身切れ（針により身が裂けること）を生じる可能性が高く、特にメタルジグを用いて釣り上げる赤ムツやタイラバを用いて釣り上げる真鯛のように口や身の柔らかい高級魚は釣り上げ難いだけでなく、釣り上げたとしても損傷が大きく、捕獲後にリリース（魚を海へ戻す）する際にも魚へのダメージが心配された。
【０００５】
そこで、釣り針に関して貫通し易く確実に捕獲できる改善が求められており、従来から線径や重量を増すことなしに釣り針の強度を向上される手段として例えば特開２００５−３３３９５０号公報（特許文献１）に提示されているように軸部を縦横方向にプレス加工により断面を小判形や四角形に平打ちする方法や特開２００１−２５１９９４号公報（特許文献２）に提示されているように釣り針の太さを部分的に変更することも考えられるが、前記特許文献１に記載の釣り針では製造はし易いが部分的に強度が異なることから均一な強度を増すことができず全体として折れやすいという問題があり、特許文献２に記載の釣り針では一様な太さの線材を用いることができないので製造が困難であるという問題がある。また、特公昭４３−３０９１８号公報（特許文献３）には線材を空洞化して軽量化を図った釣り針が提示されているが、強度的に問題があり、大型の魚に対応することはできないという問題がある。
【０００６】
また、従来のオフショア（船に乗って海上で行う）で行われていた釣法であるジギングは、海中に深く沈めたジグを引き上げる動作を繰り返すことにより魚を誘って釣り上げるものであったため、大変体力を要していたところ、近年、独特の形状のメタルジグを用い、そのメタルジグが海中を落下するときの不規則な動きで弱った小魚の動きを演出して獲物の魚を誘うスローピッチジャークジギングという釣法が開発され、非力な女性でもオフショアでのジギングが容易になったことから、比較的経験の浅い釣り人でも大きい獲物を狙う釣りを気楽に楽しむことができるようになった。
【０００７】
そしてこのスローピッチジャークジギング釣法が広まるにつれ、以前はルアーで釣ることが困難であった高級魚アカムツを狙うことも可能となり特に人気を集めているが、アカムツは体長５０ｃｍ程度で水深２５０〜３００ｍで海底から１ｍ付近に生息しており、更にアカムツは口や魚体が柔らかいため、深い海中から釣り上げることは経験の浅い釣り人にとって特に困難であり、貫通し易く確実に捕獲できる釣り針の改善が求められていた。
【０００８】
更に、特に海底近くに生息しているアカムツを狙う場合は、ジグを海底まで落としては海底から１ｍほど巻き上げることを繰り返すため、海底で釣り針が障害物に引っかかる「根掛かり」が生じやすく、これを解除するために糸を切り離せば糸やジグや釣り針が海底の残留物となり、魚の生態系、海の環境汚染にもつながるという問題もあった。
【先行技術文献】
【特許文献】
【０００９】
【特許文献１】特開２００５−３３３９５０号公報
【特許文献２】特開２００１−２５１９９４号公報
【特許文献３】特公昭４３−３０９１８号公報
【発明の概要】
【発明が解決しようとする課題】
【００１０】
本発明は前記従来の釣法に用いられる釣り針が有する問題点を解決することを課題とするものであり、これまでとは全く異なる考え方で発明された、貫通力および捕獲率の向上、魚へのダメージの軽減、更には海中の環境汚染の軽減を図る釣り針およびこれを用いた釣り用仕掛けを提供するものである。
【課題を解決するための手段】
【００１１】
前記課題を解決するためになされた本発明である釣り針は、ジグに使用される釣り針であって、基部に形成した前記ジグへの取り付け部と、略Ｊ形に屈曲した胴部と、前記胴部の先の針部とが一体に形成されて前記胴部に２ｋｇの引っ張り荷重を付加した際にフトコロが拡開し、かつ荷重を解除すると元に戻る可撓性を有するとともに、前記胴部の直径が胴長の長さ１に対して０．０２５以上０．０４０未満であることを特徴とする。
【００１２】
本発明である釣り針は、前記ジグにアシストラインを介して止着される場合、殊に、前記ジグがメタルジグであって、前記アシストラインが前記メタルジグの両端にそれぞれ一対取り付けられる用途、および前記ジグがタイラバであって、前記アシストラインが前記タイラバに取り付けられる用途に適している。
【００１３】
また、本発明である釣り針は、少なくとも前記胴部が熱処理を施した高炭素鋼により形成されていることにより所望の可撓性を有する。
【００１４】
更に、前記胴長が２９ｍｍ〜３４ｍｍ、幅が２１ｍｍ〜２４ｍｍであって、重量が０．５ｇ以上０．６４ｇ未満と軽量である場合、ジグの動きを重さにより制限せずに吸い込みもよく、海底に着底する時間が遅れるため根掛かりも回避しやすくなる。更にまた、本発明である釣り針を用いた釣り用仕掛けは、前記本発明である釣り針が、前記ジグに備えられた係止リングを介して付設されたアシストラインの先端に取り付けられていること、或いは本発明である釣り針が、前記ジグの両端において備えられた係止リングを介して二股状に一対付設されたアシストラインの先端にそれぞれ取り付けられていることを特徴とする。
【発明の効果】
【００１５】
本発明によれば、従来の釣り針が太くて固く頑丈であるのに対し、細くて負荷に対し柔らかく撓る釣り針となったことにより、釣り針の貫通力が向上し、口のみならず、エラやウロコ、体表などいかなるところに引っかかっても貫通し易くなって「早掛け」が可能となり、魚が針にふれてから貫通するまでの一連の動きにおいて従来のように釣り人の「アワせ」の技術力への依存が緩和され、釣り人の巧拙によらず釣りを楽しむことを可能とした。
【００１６】
また、フッキング後の魚へのダメージも少なく、「バラし」（魚が針から外れる事）や「リリース」（魚を海に戻すこと）の際もより魚の生存率の向上を図ることができるばかりか、根掛かりを生じた際に切り離さざるを得ない糸やジグや釣り針が海底の残留物となって魚の生態系の変化や海の環境汚染を招くことを防止することができる。
【図面の簡単な説明】
【００１７】
【図１】本発明に係る好ましい実施の形態を示す側面図。
【図２】本発明である釣り針を使用するスローピッチジャークジギング釣法の仕掛けの要部を示す概略図。
【図３】本発明である釣り針を用いてスローピッチジャークジギング釣法により釣り上げる際の釣り針の魚体への掛止状態を示す説明図。
【図４】本発明における実施例を比較例とともに示した側面からの写真。
【図５】本発明における実施例を比較例とともに示した正面からの写真。
【図６】本発明における実施例の重量測定状態を比較例とともに示した写真。
【図７】本発明における実施例と比較例についての荷重試験の負荷前と負荷後の状態を示した写真。
【図８】本発明における実施例と比較例についての異なる荷重試験の負荷前と負荷時の状態を示した写真および拡大概略図。
【発明を実施するための形態】
【００１８】
図１は、スローピッチジャークジギング釣法に用いる本実施の形態である釣り針１を示すものであり、従来の釣り針と基本的に同様の構造であり、基部に形成した前記ジグへの取り付け部１１と、略Ｊ形に屈曲した胴部１２と、胴部１２の先端に形成した針先１４とカエシ１５を有する針部１３とが一体に形成されて可撓性を有するとともに、前記胴部１２の直径ｄが胴長Ｌの長さに対して０．０２５以上０．０４０未満に形成されている。尚、図１に示した符号Ｗは釣り針１の幅である。
【００１９】
また、フトコロ幅Ｇ１とフトコロ開Ｇ２の比率が７：３で前記胴長Ｌに対して０．５〜０．６の長さを有するフトコロＧを備えており、少なくとも胴部１２が熱処理を施した高炭素鋼（例えばＳＷＣ（８０Ｃ））により形成されていることにより所望の可撓性（例えば胴部１２に２ｋｇの引っ張り荷重を付加した際にフトコロＧが拡開し、かつ荷重を解除すると元に戻る）を有することが好ましい。
【００２０】
図２はスローピッチジャークジギング釣法に適した本発明の釣り針１ａ，１ｂ，１ｃ，１ｄを用いた釣り用仕掛けを示すものであり、メタルジグ２の両端において備えられた係止リング３，３に二股状に一対（合計４本）のアシストライン４ａ，４ｂ，４ｃ，４ｄが付設されており、それらの先端に本実施の形態である釣り針１ａ，１ｂ，１ｃ，１ｄがそれぞれ取り付けられたものである。
【００２１】
本発明の実施の形態である釣り用仕掛けは、魚が海中で餌を食べようとする習性、吸い込む習性（口からエラに水が流れる）並びにジグに体当たり（自分のテリトリーに入ってきた物を威嚇する）する習性があり、複雑に動くメタルジグ２に対して前記捕食または威嚇の習性により近づき、その際、４本の釣り針１ａ，１ｂ，１ｃ，１ｄのどれかが口やヒレ、尾、魚体の一部に引っ掛かると、魚は違和感を感じ、首を振り、その際にメタルジグ２の重みによってアシストライン４ａ，４ｂ，４ｃ，４ｄの先に止着した釣り針１ａ，１ｂ，１ｃ，１ｄが振り子の原理で魚体に巻きついて図３に示すように魚体５に４つの釣り針１ａ，１ｂ，１ｃ，１ｄが刺さり、魚を釣り上げる際にはこの４支点を鷲掴みしたような状態で捕獲するものである。
【実施例】
【００２２】
次に、本発明の実施例について説明する。
【００２３】
図４（ａ）は特に水深２５０〜３００ｍの海底から１ｍ付近に生息している体長５０ｃｍ程度の赤ムツをスローピッチジャークジギング釣法により釣り上げるのに適したサイズ３／０である本発明の実施例である釣り針１（以下「本実施例」という）の側面の写真を示すものであり、図４（ｂ）および図４（ｃ）は従来スローピッチジャークジギング釣法に一般的に用いられている実施例と同じサイズ３／０の２つの釣り針１Ａおよび釣り針１Ｂ（以下「比較例１」および「比較例２」という）の側面の写真を示すものである。
【００２４】
また、図５（ａ）は「本実施例」の正面の写真を示すものであり、図５（ｂ）および図５（ｃ）は「比較例１」および「比較例２」の正面の写真を示すものである。
【００２５】
本実施例は胴部１２の直径が１．０ｍｍ、針部１３の直径が０．９ｍｍであり（胴部の直径ｄが胴長Ｌの長さ１に対して０．０３３）釣り針のサイズに比較して細く形成されているとともに焼き入れを施して可撓性を有する点が特徴である。
【００２６】
これに対して、「比較例１」では胴部１２の直径が１．３ｍｍ、針部１３の直径が１．２ｍｍ（胴部１２の直径が胴長Ｌの長さ１に対して０．０４０）に形成されており、「比較例２」では胴部１２の直径が１．８ｍｍ、針部１３の直径が１．５ｍｍ（胴部１２の直径が長さＬに対して０．０４９）に形成されており、いずれも本実施例よりも胴部１２および針部１３が釣り針のサイズに比較して太く形成されている。
【００２７】
「比較例１」および「比較例２」は針部１３および胴部１２が太いことからフッキング後において安定した保持力を発揮してバラしを防ぐことが期待できるが、反面、魚体への貫通力に欠けフッキングがしにくいのみならず、魚体の損傷を生じる可能性も大きい。
【００２８】
これに対して、本実施例は「比較例１」および「比較例２」に比べて胴部１２および針部１３が細く形成されているので貫通力が高く、魚体へ刺さりやすく、かつ魚体の損傷を生じる可能性が低い。
【００２９】
特に、スローピッチジャークジギング釣法ではフッキング後の魚の動きによって振り子のように振れる４本の釣り針が口やヒレ、エラなどの魚体に刺さることにより魚を鷲掴み状につり上げるものであり、魚体への刺さりやすさは非常に重要な要素である。
【００３０】
また、図６（ａ）は本実施例、（ｂ）は「比較例１」、（ｃ）は「比較例２」についての重量測定の写真を示すものであり、本実施例は０．５ｇ、「比較例１」は０．６４ｇ、「比較例２」は１．３ｇであり、現時点で最軽量に形成されている「比較例１」より２０％も軽量であり、「比較例２」に至っては６０％も軽量である。
【００３１】
従って、本実施例では従来品に比べて更に軽量になったことによりジグを沈降させたときに重量のある従来の釣り針よりも海底に着底する時間が遅れるために根掛かりを回避しやすくなり、海底への残留物の減少による環境保護に貢献でき、高価なメタルジグの紛失軽減にも寄与することができるものである。
【００３２】
また、軽量になったことにより海中での針の浮遊時間が長くなり、エサを吸い込んで捕獲する魚には、水流と共に容易に口の中に針が吸い込まれ、この一気に吸い込まれた針は口の奥の深い位置でしっかりとしたフッキングが可能であるばかりかメタルジグの動きに対する抵抗を極限に抑えられるため、メタルジグ本来の動きを演出できるようになり、釣り針自身も大きく振れるので釣果が期待できるものである。
【００３３】
更に、図７（ａ）は本実施例、（ｂ）は「比較例１」、（ｃ）は「比較例２」について引っ張り荷重を与える前と与えた後の状態を示す写真であり、本実施例では１ｋｇ付近から徐々にフトコロが拡開するしなやかな弾力性が感じられ負荷を解除すると元の形状に戻る可撓性を有していることが確認されるとともに、５ｋｇを過ぎたあたりからは負荷を解除した後にやや変形が残ることも確認されたが、針が折れることはなかった。
【００３４】
これに対して「比較例１」では、引っ張り始めから固く重い感覚であって８ｋｇを過ぎたあたりからようやく拡開が始まった。
【００３５】
また、「比較例２」については負荷が計測限界である１５ｋｇに達しても拡開しなかった。
【００３６】
これらのことから、本実施例は柔らかく撓る針であって適度の可撓性（弾力性）を有していることがわかり、本実施例の釣り針が魚の体表付近を通過する際、少しの凹凸にも針先が引っ掛かり、魚の力や水流などにより、一度はフトコロが広げられる方向に負荷がかかるが、その一瞬の「溜め」の後、針の戻ろうとする反発力により、一気に体表を貫く力を発生するばかりか魚が暴れた際の力を吸収し、更に身の奥まで針が貫通し、確実なホールド力を発揮させることができる。
【００３７】
加えて、図１に示したように、フトコロ幅Ｇ１とフトコロ開Ｇ２の比率が７：３で胴長Ｌに対して０．５〜０．６の長さを有するフトコロＧを備えており、魚体の貫通力とホールド力のバランスがきわめて良好である。
【００３８】
更にまた、図８（ａ）は本実施例、図８（ｂ）は「比較例１」について約２ｋｇの引っ張り荷重を加えた場合の引っ張り試験の無負荷状態と負荷状態の写真および拡大概略図を示すものである。この拡大概略図は、前記写真を拡大して重ね合わせ、無負荷状態の外形を点線で、負荷状態の外形を実線で表している。
【００３９】
この図８によれば、本実施例では拡大概略図を参照するまでもなく明確にフトコロが大きく拡開しているのに対して、「比較例１」では拡大概略図で比較してもごく僅かしか変形していない。
【００４０】
このことから本実施例は赤ムツや鯛などを狙う場合に最も適するといわれている約２ｋｇ程度の負荷に対してきわめて有効であることが判明した。
【００４１】
尚、本実施例は、水深２５０〜３００ｍの海底から１ｍ付近に生息している体長５０ｃｍ程度のアカムツをスローピッチジャークジギング釣法により釣り上げるのに適したサイズ３／０（胴長３０．２ｍｍ）について実測したものを示したが、本発明はこの程度の体長並びに魚種に限るものでなく例えば深海の海底付近に生息している太刀魚のような大型で口や魚体が比較的柔らかい魚種などに合わせたサイズの釣り針にも適用することができることは言うまでもない。また、前記スローピッチングジャークジギング釣法に適した本発明である釣り針を用いた本発明である釣り用仕掛けは、前記本発明である釣り針が、前記ジグに備えられた係止リングを介して付設されたアシストラインの先端に取り付けられていること、或いは本発明である釣り針が、前記ジグの両端において備えられた係止リングを介して二股状に一対付設されたアシストラインの先端にそれぞれ取り付けられている釣り針において多大な効果を発揮させることができる。
【符号の説明】
【００４２】
１，１ａ，１ｂ，１ｃ，１ｄ  釣り針、２  メタルジグ、３  係止リング、４ａ，４ｂ
，４ｃ，４ｄ  アシストライン、５  魚体、１１  取付部、１２  胴部、１３  針部、１
４  針先、１５  カエシ